(57)【特許請求の範囲】
【請求項１】
釣用リールを装着するために釣用リールの脚部を保持するリールシートを備えた釣竿であって、
上記リールシートは、
上記脚部が載置される載置面と、
載置面上に載置された上記脚部の一端部を収容保持し得るフード部と、
フード部に対して所定方向に沿って近接／離反可能に設けられ、近接することによって載置面上に載置された上記脚部の他端部を収容保持し得るフード部材と、
上記載置面上に配置され、上記脚部を上記所定方向に交差する方向に付勢する付勢部材とを有しており、
上記付勢部材は、上記所定方向に交差する方向に弾性変形し得る弾性部材からなり、
上記弾性部材は、上記所定方向に交差する方向に湾曲形成された板状部材により構成されており、
上記板状部材の一端部または他端部の一方が、上記載置面に固定されていることを特徴とする釣竿。
【発明の詳細な説明】
【０００１】
【発明の属する技術の分野】
この発明は、釣竿、特に釣竿のリールシートの構造に関するものである。
【０００２】
【従来の技術および発明が解決しようとする課題】
長尺のラインを使用する釣りでは、ラインの放出または巻取が自在に行えるリールが使用されるが、このリールは、釣竿に装着されるものである。リールを釣竿に装着するために、釣竿にはリールシートが設けられている。このリールシートは釣竿と一体的に形成される場合もある。
【０００３】
図６は、従来の釣竿のリールシート部分の構造を示す要部拡大図である。同図に示すように、リールシート１は、フード部２およびこれに対して矢印３の方向に沿って近接／離反するフード部材４を備えている。このフード部材４はナット５を備えており、このナット５が釣竿に形成されたねじ部６と螺合している。したがって、ナット５をを回転させることによって、フード部材４がフード部２に対して近接／離反するようになっている。すなわち、このリールシート１は、いわゆるスクリュータイプのものである。そして、これらフード部２とフード部材４との間にリールの脚部７を配置し、フード部材４をフード部２側へ押し付けて両者間にリールの脚部５を挟み込むことによって、リール全体を釣竿に装着することができるようになっている。
【０００４】
従来のリールシート１はかかる構造であるから、釣竿の長手方向（上記矢印３の方向）に対してはリールの脚部７を強固に締め付けて固定することができるが、当該方向に直交する方向（釣竿の径方向）には直接締め付けることができず、がたつきが生じやすいという問題があった。
【０００５】
そこで、本発明の目的は、リールの脚部を釣竿の長手方向およびこれに直交する方向の２方向について固定し、リールを確実に固定することができる釣竿を提供することである。
【０００６】
【課題を解決するための手段】
上記目的を達成するため、本願に係る釣竿は、釣用リールを装着するために釣用リールの脚部を保持するリールシートを備えた釣竿であって、上記リールシートは、上記脚部が載置される載置面と、載置面上に載置された上記脚部の一端部を収容保持し得るフード部と、フード部に対して所定方向に沿って近接／離反可能に設けられ、近接することによって載置面上に載置された上記脚部の他端部を収容保持し得るフード部材と、上記載置面上に配置され、上記脚部を上記所定方向に交差する方向に付勢する付勢部材とを有することを特徴とするものである
この構成によれば、載置面上に釣用リールの脚部を載置する。このとき、当該脚部の一端部をフード部の内部に挿入する。その状態でフード部材を所定方向に沿ってフード部に近接させると、上記脚部の他端部がフード部材の内部に挿入される。さらに、フード部材をフード部側に移動させると、両者間に上記脚部の両端部が挟持される。しかも、上記載置面上には付勢部材が配置されているから、上記脚部の両端部がフード部材とフード部とによって挟持された状態で、当該所定方向（挟持方向）に交差する方向に上記脚部が付勢される。そして、上記脚部の両端部はフード部材およびフード部に挿入されているから、この脚部の両端部は、上記付勢部材とフード部材およびフード部とによって、上記挟持方向に交差する方向に挟持される。
【０００７】
また、上記付勢部材は、上記所定方向に交差する方向に弾性変形し得る弾性部材により構成することができる。このようにすれば、釣用リールをリールシートに装着する際には、釣用リールの脚部によって弾性部材を弾性変形させながら、当該脚部を上記フード部およびフード部材に挿入する。これにより、上記脚部が弾性部材の弾性力（変形による反力）によって上記所定方向に交差する方向に付勢される。すなわち、釣用リールをリールシートに装着することによって、弾性部材が弾性変形し、その弾性力によって自動的に上記所定方向に交差する方向に上記脚部が挟持される。
【０００８】
特に、上記弾性部材は、上記所定方向に交差する方向に湾曲形成された板状部材により構成することができる。この構成では、釣用リールの脚部を板状部材に押し付けながら釣用リールをリールシートに装着する。これにより、板状部材の湾曲部分が真っ直ぐにのばされるように弾性変形し、その弾性力によって自動的に上記脚部が上記挟持方向に交差する方向に挟持される。しかも、弾性部材を板状に形成することによって、弾性部材をきわめて簡単かつ安価に製造することができるという利点もある。
【０００９】
さらに、上記板状部材の一端部または他端部の一方を、上記載置面に固定することもできる。この場合、板状部材を既知の固着手段によって載置面に固着してもよいし、載置面と一体的に形成してもよい。かかる構成とすることにより、釣用リールの脚部を板状部材に押し付けながら釣用リールをリールシートに装着すると、板状部材の一端部または他端部の一方が載置面に対してスライドしながらその湾曲部分が真っ直ぐに伸ばされるように弾性変形し、その弾性力によって自動的に上記脚部が上記所定方向に交差する方向に挟持される。しかも、板状部材のリールシートからの脱落等を確実に防止することができる。
【００１０】
【発明の実施の形態】
以下、本発明の実施の形態について説明する。
【００１１】
図１は、本発明の一実施形態に係る釣竿の側面図である。
【００１２】
本実施形態に係る釣竿１０は、いわゆる振出式のものである。釣竿１０は、第１節１１〜第４節１４までの各要素から構成されており、第１節１１が第２節１２に対して伸縮する。同様に、第２節１２および第３節１３は、それぞれ第３節１３および第４節１４に対して伸縮するようになっている。なお、図１では第４節１４部分を明確に図示するために、釣竿１０を全伸長させた状態ではなく第１節１１〜第３節１３を若干伸長させた状態で図示している。
【００１３】
釣竿１０を構成する各節１１〜１４は細長棒状に形成され、たとえばカーボン繊維を筒状に形成する等、公知の要領で製造することができる。本実施形態では、釣竿１０はいわゆるインナーガイドタイプのものである。このため、第４節１４には釣糸導入部１５が形成されており、釣糸（図示せず）は、この釣糸導入孔１５から釣竿１０内部に導入され、先端部１６から導き出されるようになっている。
【００１４】
次に、第４節１４には釣用リール（以下、単に「リール」という。）が装着されるようになっており、そのためのリールシート１７が設けられている。この釣竿１０では、リールシート１７は第４節１４と一体的に形成されている。もっとも、第１４節とは別にリールシートを構成し、これを第４節１４に取り付けるようにすることもできる。
【００１５】
本実施形態に係るリールシート１７は、いわゆるスクリュータイプのものである。すなわち、このリールシート１７は、フード部材２０を備えており、これを後述のように移動させることによってリールの脚部を挟み込んで固定するようになっている。
【００１６】
図２は、第４節１４の要部拡大図であり、リールシート１７の構造を詳細に示したものである。また、図３は、リールシート１７にリールを装着した状態での第４節１４の要部拡大図である。
【００１７】
図２および図３を参照して、リールシート１７は、リールの脚部２４を載置するための載置面部１８（載置面）と、載置面部１８の左端（図中左側であって、釣竿１０の先端側）に連続して形成されたフード部１９と、載置面部１８の右端（図中右側であって、釣竿１０の基端側）に設けられたフード部材２０と、載置面部１８上に配設された板ばね２１（弾性部材）とを有している。本実施形態では、上述したようにリールシート１７が第４節１４と共に一体的に形成されているから、上記載置面部１８およびフード部１９は、第４節１４に連続して形成されている。
【００１８】
載置面部１８は、第４節１４の中間部分を平坦に形成することにより構成されており、この載置面部１８にリールの脚部２４が当接されるようになっている（図３参照）。また、本実施形態では載置面部１８が平面として構成されているが、この中央部を凹ませた形状とすることもできる。そのようにしても、リールの脚部２４は、載置面部１８の両端部分に載置され、後述のように確実に保持することができる。
【００１９】
フード部１９は、第４節１４に連続し、載置面部１８の左端部分を囲繞するように形成されている。したがって、フード部１９によって、当該フード部１９と載置面部１８との間に空間２２が形成され、この空間２２にリールの脚部２４の一端部２５が挿入されるようになっている。なお、この空間２２を区画するフード部１９の内面２３は、図２に示すようなテーパ面に形成されており、脚部２４の一端部２５が挿入されることによって、当該一端部２５に上記内面２３が当接し、確実に保持することができるようになっている。
【００２０】
フード部材２０は、フード本体２６とナット部材２７とを有し、このナット部材２７が第４節１４に螺合されている。ナット部材２７は、フード本体２６に対して回動自在となっており、両者間の共回りを回避している。すなわち、第４節１４には長手方向（所定方向）に沿って雄ねじ２８が形成されており、ナット部材２７の内面には雌ねじ（図示せず）が形成されている。そして、これら雄ねじ２８および雌ねじが互いに螺合されており、ナット部材２７を回すことによって、ナット部材２７と共にフード本体２６が矢印２９の方向（第４節１４の長手方向）に移動することができるようになっている。
【００２１】
フード本体２６は筒状に形成されており、第４節１４に外嵌されている。フード本体２６は、その上部が上方に湾曲されており、上記載置面部１８との間で空間３０が形成されている。この空間３０にリールの脚部２４の他端部３１（図３参照）が挿入されるようになっている。なお、この空間２２を区画するフード本体２６の内面は、上述したフード部１９の内面２３と同様にテーパ面に形成されており、脚部２４の他端部３１が挿入されることによって、当該他端部３１と当該内面とが当接し、確実に保持することができるようになっている。
【００２２】
図４は、板ばね２１の構成を示す斜視図である。
【００２３】
板ばね２１は、上述したように載置面部１８上に配設されている（図２参照）。板ばね２１は、たとえばＳＵＳ３０４ＣＳＰにより構成することができるが、一般にばね鋼により構成することができる。もっとも、板ばね２１を構成する材料はばね鋼に限定されるものではなく、弾性を有する材料であれば他のものを採用することができる。
【００２４】
板ばね２１は、図４に示すように細長の板状に形成されており、平坦な一端部３２および他端部３３と、これらに連続して形成された湾曲部３４とを有している。そして、図２に示すように、板ばね２１の一端部３２が載置面部１８の一端側（フード部１９側）に配置され、他端部３３が載置面部１８の他端側（フード部材２０側）に配置されている。また、載置面部１８は、上述したように平坦に形成されているから、板ばね２１の一端部３２および他端部３３は、ぴったりと載置面部１８上に当接している。したがって、湾曲部３４は、第４節１４の長手方向に直交する方向、すなわち径方向（所定方向に交差する方向）に突出するように配置され、当該径方向に弾性変形が可能となっている。
【００２５】
さらに、本実施形態では、板ばね２１の一端部３２は、上記載置面部１８上に固定されている。固定するための手段としては、接着剤等を採用することができるが、リールシート１７を構成する際に板ばね２１を一体的に形成することもできる。板ばね２１の一端部３２を載置面部１８に固定したことによる作用効果については後述する。なお、板ばね２１を載置面部１８に固定させずに、単に載置面部１８上に載置する構成とすることもできるのは勿論である。
【００２６】
本実施形態によれば、次のようにしてリールの着脱を行うことができる。
【００２７】
まず、図２の状態からナット部材２７を緩める方向に回転させ、フード部材２０全体を図中右側に移動させる。これにより、リールを装着するための十分なスペースを確保する。
【００２８】
次いで、図３に示すように、リールの脚部２４の一端部２５をフード部１９の空間２２内に挿入し、その状態でナット部材２７を締める方向に回転させると、フード部材２０が図中左側に移動し、さらにナット部材２０を締め付けることによりフード部材２０とフード部１９とが接近し、両者間で脚部２４がしっかりと締め付けられる。
【００２９】
このとき、載置面部１８上には板ばね２１が配置されているから、上記脚部２４の両端部２５，３１がフード部材２０とフード部１９とによって挟持された状態で、板ばね２１が第４節１４の径方向に伸ばされる。これにより、リールの脚部２４は、当該径方向（図中上方）に付勢される。しかも、上記脚部２４の両端部２５，３１はフード部材２０内の空間３０およびフード部１９内の空間２２に挿入されているから、この脚部２４の両端部２５，３１は、板ばね２１とフード部材２０およびフード部１９とによって、上記径方向についても挟持される。
【００３０】
したがって、本実施形態では、リールの脚部２４を第４節１４の長手方向および径方向についてしっかりと固定することができ、釣竿１０にリールを装着した状態でがたつき等を防止することができる。その結果、大型の魚がヒットした場合等においても、安定したファイティングを実現することができる。
【００３１】
一方、リールを取り外すときは、ナット部材２７を緩める方向に回転させ、再びフード部材２０全体を図中右側に移動させる。これにより、リールをリールシート１７から簡単に外すことができる。
【００３２】
また、本実施形態では、板ばね２１という弾性部材を用いて上記脚部２４を付勢することとしているから、この脚部２４によって板ばね２１を弾性変形させながら、リールを装着する。つまり、リールの装着と同時に、板ばね１２の弾性力により容易且つ確実にリールの脚部２４を上記径方向に付勢することができるという利点がある。
【００３３】
特に、本実施形態のように湾曲部３４を備えた板ばね２１を採用することにより、リールを装着する際には、板ばね２１の湾曲部３４が真っ直ぐに伸ばされ、その反力によってリールの脚部２４が径方向に付勢される。したがって、リールの脚部２４を上記径方向へ付勢するための手段をきわめて簡単且つ安価に構成することができるという利点がある。
【００３４】
加えて、本実施形態では、板ばね２１の一端部３２が載置面部１８に固定されているから、リールを装着する際には湾曲部３４が伸ばされるが、このとき、板ばね２１の他端部３３が載置面部１８上をスライドする。これにより、板ばね２１の湾曲部３４が伸ばされ、その弾性力によって自動的にリールの脚部２４が上記径方向に挟持される。しかも、板ばね２１が固定されていることにより、リールの着脱の際に、リールシートからの脱落等を確実に防止することができるという利点もある。
【００３５】
次に、本実施形態の変形例について説明する。
【００３６】
図５は、本実施形態の変形例に係る釣竿４０の要部拡大図である。
【００３７】
この変形例が上記実施形態と異なるところは、上記実施形態に係るリールシート１７がいわゆるスクリュータイプのものであったのに対し、本変形例に係るリールシート４１はいわゆるスライド式のものである点、および上記実施形態に係るリールシート１７は釣竿１０と一体的に形成されていたのに対し、本変形例に係るリールシート４１は別部材として構成され、公知の固定部材４２により釣竿４０に固定されている点である。なお、その他の構成については上記実施形態と同様である。
【００３８】
このリールシート４１は公知の構成であり、基板４３と、基板４３の先端部に設けられたフード部４４と、基板４３の後端部に設けられたフード部材４５と、基板４３の上面４６（載置面）上に配設された板ばね２１とを備えている。
【００３９】
フード部材４５は、基板４３の後端側に形成されたスライドレール４７と係合している。スライドレール４７は、第４節１４の長手方向に沿って形成されており、フード部材４５は、当該方向に沿ってスライドするようになっている。参照符号４８は、フード部材４５の固定レバーを示しており、この固定レバー４８を起立させることによりフード部材４５が自由にスライドでき、倒伏させることにより（図５に示す状態）、フード部材４５のスライドを規制するようになっている。
【００４０】
フード部４４およびフード部材４５の内部には、それぞれ、リールの脚部が挿入される空間４９，５０が形成されており、これら空間４９，５０にリールの脚部の両端部が挿入されて保持されるようになっている。
【００４１】
リールシート４１を釣竿４０に固定している固定部材４２として、本変形例では固定用のテープを採用しているが、接着剤等を使用することもできる。
【００４２】
板ばね２１は上記実施形態で示したものと同様であり、その両端部３２，３３が基板４３の上面４６に当接されており、一端部３２が上面４６に固定されている。なお、本変形例においても、板ばね２１を上面４６に固定せずに、単に載置した状態で使用することができる。
【００４３】
この変形例についても、上記実施形態と同様の作用効果を奏する。すなわち、固定レバー４８を起立させ、フード部材４５を右側にスライドさせる。次いで、リールの脚部を基板４３上に配置し、そのまま押し付けて板ばね２１を弾性変形させる。そして、フード部材４５を左側にスライドさせて、フード部材４５およびフード部４４内に形成された上記空間４９，５０内にリールの脚部を挿入し、その状態で固定レバー４８を倒伏し、フード部材４５のスライドを規制する。これにより、リールの脚部は第４節１４の長手方向について固定される。
【００４４】
このとき、板ばね２１の湾曲部３４が第４節１４の径方向に弾性変形しているから、その反力によってリールの脚部が当該径方向に付勢される。これにより、リールの脚部は、当該径方向にも固定される。
【００４５】
つまり、この変形例においても、リールの脚部を第４節１４の長手方向および径方向についてしっかりと固定することができ、釣竿４０にリールを装着した状態でがたつき等を防止することができる。その結果、大型の魚がヒットした場合等においても、安定したファイティングを実現することができる。
【００４６】
なお、上記実施形態および変形例では、釣竿１０，４０が第１節１１〜第４節１４までの４つの要素により構成されているが、これに限定されることなくさらに多数の要素により構成することもできる。また、上記実施形態に係る釣竿１０は、いわゆるインナーガイドタイプのものを示したが、本発明はこれに限定されることなく、いわゆるアウターガイドタイプのものにも適用することができる。さらに、振出式のものに限定されることなく、インロー継式、並継式の釣竿にも適用することができる。
【００４７】
【発明の効果】
以上のように本願発明によれば、釣用リールの脚部はフード部材とフード部とによって所定方向に挟持固定され、且つ付勢部材によって当該方向に交差する方向に挟持される。したがって、釣用リールの脚部を２方向（たとえば釣竿の長手方向および径方向）に確実に固定することができ、釣用リールを釣竿に確実に固定した状態で装着することができる。その結果、釣用リールのがたつき等を確実に防止することができ、大型の魚がヒットした場合等においても、安定したファイティングを実現することができる。
【図面の簡単な説明】
【図１】本発明の一実施形態に係る釣竿の側面図である。
【図２】本発明の一実施形態に係る釣竿の第４節の要部拡大図である。
【図３】本発明の一実施形態に係る釣竿のリールシートにリールを装着した状態での第４節の要部拡大図である。
【図４】本発明の一実施形態に係る板ばねの構成を示す斜視図である。
【図５】本発明の一実施形態の変形例に係る釣竿の要部拡大図である。
【図６】従来の釣竿のリールシート部分の構造を示す要部拡大図である。
【符号の説明】
１０  釣竿
１７  リールシート
１８  載置面部
１９  フード部
２０  フード部材
２１  板ばね
２４  脚部
２５  一端部
３１  他端部
３２  板ばねの一端部
３３  板ばねの他端部
３４  湾曲部
４０  釣竿
４１  リールシート
４３  基板
４４  フード部
４５  フード部材
４６  上面
【図１】
0004603726.tif 000002
【図２】
0004603726.tif 000003
【図３】
0004603726.tif 000004
【図４】
0004603726.tif 000005
【図５】
0004603726.tif 000006
【図６】
0004603726.tif 000007